(57)【要約】【課題】発変電所などに配備された保護継電盤、分電盤、配電盤、制御盤などの電気機器収納盤を交換するに際して、新設の電気機器収納盤にケーブルを容易に接続することができるようにした疑似端子台及びこの疑似端子台を使用するケーブルの接続方法を提供する。【解決手段】本発明に係る疑似端子台は、ケーブルを仮止めする疑似端子部を有する複数のブロック体であって、互いに組み合わせ可能な複数のブロック体を備える。このブロック体は、前記疑似端子部を一つの面に設けた六面体であって、前記疑似端子部を設けた面に連なる一方の面側に設けられた嵌合凹部と、反対側の面に設けられた嵌合凸部体とを備え、隣り合うブロック体の嵌合凹部と嵌合凸部体とが着脱自在とされる。【選択図】図１
2017073849.tif 000002
【特許請求の範囲】
【請求項１】
ケーブルを仮止めする疑似端子部を有する複数のブロック体であって、互いに組み合わせ可能な複数のブロック体を備えることを特徴とする疑似端子台。
【請求項２】
前記ブロック体は、前記疑似端子部を一つの面に設けた六面体であって、前記疑似端子部を設けた面に連なる一方の面側に設けられた嵌合凹部と、反対側の面に設けられた嵌合凸部体とを備え、隣り合うブロック体の嵌合凹部と嵌合凸部体とが着脱自在とされることを特徴とする請求項１に記載の疑似端子台。
【請求項３】
隣り合った前記ブロック体の嵌合凹部と嵌合凸部体との間に隙間が設けられる疑似端子台において、一つの嵌合凸部体に対して、少なくとも３か所で点当たりする支持体を備えることを特徴とする請求項２に記載の疑似端子台。
【請求項４】
請求項１乃至３のいずれか１項に記載の疑似端子台を使用するケーブルの接続方法であって、ブロック体の疑似端子部が新設の電気機器収納盤の端子部と同じ配置になるようにブロック体を組み合わせることで疑似端子台を組み立てる工程と、疑似端子台の各疑似端子部に保形性を有するケーブルの各端子を仮止めする工程と、各ケーブルを配線経路に沿って変形する工程と、疑似端子台の疑似端子部から各ケーブルの端子を外す工程と、疑似端子台と新設の電気機器収納盤とを交換し、各ケーブルの端子を新設の電気機器収納盤の端子部に接続する工程を含んでいることを特徴とするケーブルの接続方法。
【発明の詳細な説明】
【技術分野】
【０００１】
本発明は、発変電所などに配備された既設の電気機器収納盤を新設の電気機器収納盤に交換する際に適用される疑似端子台及びケーブルの接続方法に関する。
【背景技術】
【０００２】
発変電所の高圧配電路を流れる電流（一次側電流）は、変流器によって所定の電流（二次側電流）に変換される（例えば、特許文献１参照）。この二次側電流の電流値は、電気機器収納盤の一種である制御盤に備えられたトランスジューサで計測され、また、制御盤に備えられたリレー盤によって予め決められた時限で監視される。
【０００３】
このような制御盤などの電気機器収納盤は、遠方の制御所とケーブルによって電気的に接続されている。そして、電気機器収納盤は、多数の端子部を有する端子台を備え、各端子部にケーブルの端子が接続される。
【先行技術文献】
【特許文献】
【０００４】
【特許文献１】特許第５０４２３２２号公報
【発明の概要】
【発明が解決しようとする課題】
【０００５】
ところで、前記電気機器収納盤は、必要に応じて交換される。この交換は、一日程度の停電日に、既設の電気機器収納盤（以下、「旧盤」という。）を撤去し、その跡に、新設の電気機器収納盤（以下、「新盤」という。）を設置することで行われる。また、ケーブルも新旧交換される。新しいケーブルは、改めて敷設されるなどの下準備をした後、新しいケーブルの端子が新盤に備えられた端子部に接続（端末処理）される。
【０００６】
この新盤に備えられた端子部の位置が、旧盤に備えられた端子部の位置と異なる場合がある。このような場合、作業者は、新盤に備えられた端子部の位置を予測してケーブルの下準備をする。しかし、このような予測に基づくケーブルの下準備は、時間がかかるだけでなく、的確に行うことができない、という問題がある。
【０００７】
そこで、本発明は、上記問題に鑑み、発変電所などに配備された保護継電盤、分電盤、配電盤、制御盤などの電気機器収納盤を交換するに際して、新設の電気機器収納盤にケーブルを容易に接続することができるようにした疑似端子台及びこの疑似端子台を使用するケーブルの接続方法を提供することを目的とする。
【課題を解決するための手段】
【０００８】
本発明に係る疑似端子台は、ケーブルを仮止めする疑似端子部を有する複数のブロック体であって、互いに組み合わせ可能な複数のブロック体を備えている。
【０００９】
この構成によれば、複数のブロック体を組み合わせることで、疑似端子部を所望の位置に設けた疑似端子台を組み立てることができる。
【００１０】
また、前記本技術に係る疑似端子台において、ブロック体は、前記疑似端子部を一つの面に設けた六面体であって、前記疑似端子部を設けた面に連なる一方の面側に設けられた嵌合凹部と、反対側の面に設けられた嵌合凸部体とを備え、隣り合うブロック体の嵌合凹部と嵌合凸部体とが着脱自在とされる。
【００１１】
この構成によれば、隣り合ったブロック体の嵌合凹部と嵌合凸部体とが嵌合することで、疑似端子台を容易に組み立て、その疑似端子台を各ブロック体に分離しにくいものとすることができる。また、ブロック体は、嵌合凹部と嵌合凸部体とを設けた面に連なる面に疑似端子部を設けたものとすることで、嵌合凹部と嵌合凸部体とが嵌合した状態でも、疑似端子部を露出した状態とすることができる。
【００１２】
また、本発明の一態様として、隣り合ったブロック体の嵌合凹部と嵌合凸部体との間に隙間が設けられる疑似端子台において、一つの嵌合凸部体に対して、少なくとも３か所で点当たりする支持体を備えていてもよい。
【００１３】
この構成によれば、隣り合ったブロック体の嵌合凹部と嵌合凸部体との間に隙間が設けられることにより、複数のブロック体を抵抗感なくスムーズに組み合わせることができる。そして、支持体が一つの嵌合凸部体に対して少なくとも３か所で点当たりすることで、嵌合凹部と嵌合凸部体との間にガタツキが生じることがないように、ブロック体同士を連結することができる。
【００１４】
本発明に係るケーブルの接続方法は、前記本技術に係る疑似端子台を使用するケーブルの接続方法であって、ブロック体の疑似端子部が新設の電気機器収納盤の端子部と同じ配置になるようにブロック体を組み合わせることで疑似端子台を組み立てる工程と、疑似端子台の各疑似端子部に保形性を有するケーブルの各端子を仮止めする工程と、各ケーブルを配線経路に沿って変形する工程と、疑似端子台の疑似端子部から各ケーブルの端子を外す工程と、疑似端子台と新設の電気機器収納盤とを交換し、各ケーブルの端子を新設の電気機器収納盤の端子部に接続する工程を含んでいる。
【００１５】
このケーブルの接続方法によれば、疑似端子台の疑似端子部が新設の電気機器収納盤の端子部と同じ配置になるようにブロック体を組み合わせ、ケーブルの端子が疑似端子台の各疑似端子部に仮止めされることで、ケーブルを、新設の電気機器収納盤の端子部に接続するときと同じ配線経路に沿った所定の形状に変形することができる。ケーブルは、保形性を有することで、ケーブルの端子が仮止めされた疑似端子台の疑似端子部から外されても、所定の形状でケーブルの端子を新設の電気機器収納盤の端子部に接続することができる。
【発明の効果】
【００１６】
以上のように、本発明によれば、発変電所などに配備された保護継電盤、分電盤、配電盤、制御盤などの電気機器収納盤を交換するに際して、新設の電気機器収納盤にケーブルを容易に接続することができる。
【図面の簡単な説明】
【００１７】
【図１】図１は、本技術に係る疑似端子台を構成しているブロック体の概略斜視図。
【図２】図２は、本技術に係る疑似端子台の断面正面図。
【図３】図３は、本技術に係る疑似端子台の断面平面図であって、図２のIII−III線断面図。
【図４】図４（ａ）は、ケーブル束を敷設した段階を示す概略図、図４（ｂ）は、疑似端子台を設置した段階での概略図。
【図５】図５は、ケーブルを疑似端子台に仮止めした段階での概略図。
【図６】図６（ａ）は、ケーブルを疑似端子台から外した段階での概略図、図６（ｂ）は、疑似端子台を撤去した段階での概略図。
【図７】図７（ａ）は、新盤を設置した段階での端子台の概略図、図７（ｂ）は、ケーブルを新盤の端子台に接続した段階での概略図。
【発明を実施するための形態】
【００１８】
本発明に係る疑似端子台１は、図１に示すように、ケーブル２１の端子２２（図５参照）を仮止めする疑似端子部１１を有する複数のブロック体１０であって、互いに組み合わせ可能な複数のブロック体１０を備えている。
【００１９】
このブロック体１０は、疑似端子部１１を一つの面１２ａに設けた六面体であって、疑似端子部１１を設けた一つの面１２ａに連なる一方の面１２ｂ側に設けられた嵌合凹部１３と、他方の面１２ｃ側（反対側）に設けられた嵌合凸部体１４とを備え、隣り合うブロック体１０の嵌合凹部１３と嵌合凸部体１４とが着脱自在とされている。嵌合凹部１３と嵌合凸部体１４とは、当然ながら同数設けられる。
【００２０】
また、複数のブロック体１０を抵抗感なくスムーズに組み合わせることができるように、組み合わされた一方のブロック体１０の嵌合凸部体１４と他方のブロック体１０の嵌合凸部体１４との間には、隙間が設けられている。
【００２１】
なお、一例を示す図面では、ブロック体１０は、変形直方体状に形成され、嵌合凹部１３と嵌合凸部体１４とが２列に配置され、１列について４個ずつ、合計８個設けられている。また、嵌合凹部１３は、円筒状に形成され、嵌合凸部体１４は、円柱状に形成されている。ブロック体１０がこの形状に限定されないことは、いうまでもない。
【００２２】
また、ブロック体１０は、疑似端子部１１を設けた面１２ａに溝状部１５を備えている。この溝状部１５は、一方の面１２ｂ及び他方の面１２ｃの側縁と平行な方向に形成され、長さ方向の中心に疑似端子部１１を備えている。
【００２３】
なお、疑似端子部１１は、ケーブル２１の端子２２を仮止めするためのもので、図示しないが、ケーブル２１の端子２２を係入する小孔やケーブル２１の端子２２を締め付けるネジ部材、圧着端子などで構成される。
【００２４】
また、ブロック体１０は、一方の面側１２ｂに設けられた枠体１６によって囲まれた共通の嵌合凹部１７を備えている。この共通の嵌合凹部１７の奥側に、隣り合ったブロック体１０の嵌合凸部体１４の先端部が嵌合する複数（図面では８個）の嵌合凹部（以下、「個別の嵌合凹部」ともいう。）１３が連設されている。したがって、隣り合ったブロック体１０に備えられた嵌合凸部体１４の先端側が個別の嵌合凹部１３内に入り、嵌合凸部体１４の基端側が共通の嵌合凹部１７内に入る状態となる。
また、枠体１６には、内向きに突出する棒状の支持体１８が備えられている。この支持体１８は、共通の嵌合凹部１７内に入れられている嵌合凸部体１４の基端側に点当たりする。
【００２５】
また、共通の嵌合凹部１７内には、２列に配置された個別の嵌合凹部１３間の中心線に沿って仕切る支持体１９も備えられている。この仕切状の支持体１９の奥側は、個別の嵌合凹部１３の周縁に接するように形成されている。
【００２６】
したがって、隣り合ったブロック体１０の各嵌合凸部体１４の基端側が共通の嵌合凹部１７に入れられた状態において、この嵌合凸部体１４の基端側は、図３に示すように、２本の棒状の支持体１８と仕切状の支持体１９の３点で点当たりし、又は、３本の棒状の支持体１８の先端部と仕切状の支持体１９の４点で点当たりする。
【００２７】
以上のように構成されたブロック体１０は、新盤（電気機器収納盤の一種の制御盤であって、新設された制御盤）に備えられた端子台２の端子部２ａと対応するよう組み合わされる。隣り合ったブロック体１０の嵌合凸部体１４の先端部が個別の嵌合凹部１３内に抵抗感なくスムーズに入り込む。この嵌合凸部体１４の先端部と個別の嵌合凹部１３との間に隙間があっても、棒状の支持体１８と仕切状の支持体１９とが嵌合凸部体１４の基端側に点当たりすることで、ガタツキが生じることなく疑似端子台１が強固に連結される。
【００２８】
次に、このようにして組み立てられた疑似端子台１を使用して、新しいケーブル２１の端子２２を新盤の端子台２の端子部２ａに接続する接続方法について図４ないし図７を参照しながら説明する。該接続方法は、ブロック体１０の疑似端子部１１が新設の電気機器収納盤の端子台２の端子部２ａと同じ配置になるようにブロック体１０を組み合わせることで疑似端子台１を組み立てる工程と、疑似端子台１の各疑似端子部１１に保形性を有するケーブル２１の各端子２２を仮止めする工程と、各ケーブル２１を配線経路に沿って変形する工程と、疑似端子台１の疑似端子部１１から各ケーブル２１の端子２２を外す工程と、疑似端子台１と新設の電気機器収納盤の端子台２とを交換し、各ケーブル２１の端子２２を新設の電気機器収納盤の端子台２の端子部２ａに接続する工程を含んでいる。
【００２９】
まず、図４（ａ）に示すように、図示しない旧盤と交換する新盤（図４（ａ）において図示せず）の配置位置の近傍にケーブル束又は管体（以下、「ケーブル束２０」として説明する。）を敷設した後、図４（ｂ）に示すように、新盤を設置する位置に疑似端子台１を設置する。このような手順によって、疑似端子台１がケーブル束２０を敷設する作業の邪魔にならないようにすることができる。また、疑似端子台１の疑似端子部１１が作業しやすい方に向けられる。
【００３０】
次に、図５に示すように、ケーブル束２０から分散したケーブル２１の端子２２を疑似端子台１の疑似端子部１１に仮止めする。また、ケーブル２１の端子２２は、ブロック体１０の溝状部１５内に入れられた状態となる。
【００３１】
そして、ケーブル２１は、新盤の端子台２の端子部２ａに接続するときと同じ配線経路に沿った所定の形状に変形する。ケーブル２１が保形性を有することで、その所定の形状が維持される。そして、同一方向に導出された複数本のケーブル２１は、インシュロックのような結束部材３０によって束ねられる。
【００３２】
次に、図６（ａ）に示すように、ケーブル２１の端子２２を疑似端子台１の疑似端子部１１から外し、図６（ｂ）に示すように、疑似端子台１を撤去する。複数本のケーブル２１は、結束部材３０によって束ねられているため、所定の形状を概ね維持する。また、疑似端子台１は、ブロック構造であることから、容易に撤去される。
【００３３】
次に、図７（ａ）に示すように、新盤を所定の位置に設置する。このとき、ケーブル２１の端子２２は、新盤の設置作業の邪魔にならないように、設置位置から退避されている。
【００３４】
次に、図７（ｂ）に示すように、各ケーブル２１の端子２２を新盤に備えられた端子台２の端子部２ａに接続する。ケーブル２１が所定の形状に形成されているため、このケーブル２１の端子２２を新盤の端子台２の端子部２ａに短時間で接続することができる。以上のように、旧盤から新盤への交換は、疑似端子台１を使用することで、短時間に行われる。
【００３５】
また、この新盤を後日、交換するときも、新盤に備えられた端子台２の端子部２ａに対応するようにブロック体１０を組み合わせた疑似端子台１を組み立て、前記のような作業をする。
【００３６】
なお、本発明は、上記実施形態に限定されるものではなく、本発明の要旨を逸脱しない範囲で適宜変更を加え得ることは勿論のことである。
【００３７】
例えば、前記実施形態の場合、疑似端子台１を組み立てるブロック体１０は、個別の嵌合凹部１３と嵌合凸部体１４が密着するように着脱自在とすることで、共通の嵌合凹部１７や支持体１８，１９を備えなくてもよい。
【００３８】
また、前記実施形態の場合、このブロック体１０は、個別の嵌合凹部１３と嵌合凸部体１４も備えず、紐状や帯状の結束部材３０によって複数のブロック体１０を一体化するようにしてもよい。
【符号の説明】
【００３９】
１…疑似端子台、２…新盤の端子台、２ａ…端子部、１０…ブロック体、１１…疑似端子部、１３，１７…嵌合凹部、１４…嵌合凸部体、１５…溝状部、１８，１９…支持体、２２…端子
【図１】
2017073849.tif 000003
【図２】
2017073849.tif 000004
【図３】
2017073849.tif 000005
【図４】
2017073849.tif 000006
【図５】
2017073849.tif 000007
【図６】
2017073849.tif 000008
【図７】
2017073849.tif 000009